(57)【要約】      （修正有）【課題】従動子と回転部の緊迫な固定と軸方向の定位という組立効果が得られ、組立の精密度が高められるカム従動子の固定構造を提供する。【解決手段】カム従動子の固定構造は、回転部２０に従動子３０を組み立てるための複数のネジ穴２１が開けられ、従動子の一端に円錐体部３１が形成され、円錐体部には順番に異なるテーパーの第一、第二、第三直径部が形成される。第一直径部３１１はネジ穴の内径より大きく、第二直径部３１２はネジ穴の内径と等しく、第三直径部３１３はネジ穴の内径より小さい。また第一直径部から第二直径部までの距離は第二直径部から第三直径部までの距離の三分の一である。従動子の円錐体部によって中心を調整してネジ穴に差し込み、さらに押し迫って第二直径部と第一直径部がネジ穴に押し込まれて設置されることで従動子と回転部の高精度な剛性が得られる。【選択図】図４
0003212925.tif 000002
【実用新案登録請求の範囲】
【請求項１】
駆動軸と回転部とを含むカム従動子の固定構造であって、
上記駆動軸には外表面に螺旋部が形成され、また上記回転部には外周縁に放射線状に複数の従動子が固定され、さらに駆動軸の螺旋部によって従動子と噛み合わせることで回転部を帯動し、
上記回転部には従動子を組み立てるための複数のネジ穴が開けられ、上記従動子には一端に円錐体部が形成され、そして従動子のもう一端には軸受けが組み立てられ、また上記従動子には円錐体部と軸受けの間に阻止リングが突設され、上記阻止リングには円錐体部端に押さえ面が形成され、阻止リングによって円錐体部がネジ穴に差し込む深さを制限し、また上記円錐体部には隣接する軸受け端に順番に異なるテーパーの第一直径部、第二直径部及び第三直径部が形成され、上記第一直径部はネジ穴の内径より大きく、上記第二直径部はネジ穴の内径と等しく、上記第三直径部はネジ穴の内径より小さく、従動子の円錐体部によって中心を調整してネジ穴に差し込み、さらに押し迫って第二直径部と第一直径部がネジ穴に押し込まれて設置されることで緊迫な固定と軸方向の定位という組立効果が得られ、または上記ネジ穴の開口の周縁には平面部が形成され、それにくわえて上記従動子には押さえ面と円錐体部の間にリング溝が凹設され、さらに該リング溝によって該ネジ穴との間の干渉が解消され、上記従動子の押さえ面が上記回転部の平面部とぴったり合わせられることによって円錐体部と合わせて両面を拘束する効果が得られ、従動子とネジ穴の結合は揺れにくくなることを特徴とするカム従動子の固定構造。
【請求項２】
上記ネジ穴の穴底は延伸されてねじ山穴が設けられ、また上記従動子の軸方向に貫通孔が貫通され、そして上記従動子はボルトによって貫通孔に貫通され、さらにボルトによってねじ山穴に締め付けることで従動子とネジ穴の緊迫効果が得られることを特徴とする請求項１のカム従動子の固定構造。
【請求項３】
上記回転部にはネジ穴と従動子の円錐体部の間に接着剤が塗布されるため、固定強度が高められ、また上記接着剤は化学分解の特性があることを特徴とする請求項１のカム従動子の固定構造。
【請求項４】
上記従動子の円錐体部の材料硬度は回転部のネジ穴の材料硬度より大きいことを特徴とする請求項１のカム従動子の固定構造。
【請求項５】
上記従動子はプレス式でネジ穴に差し込まれることで中心調整の固定効果が得られることを特徴とする請求項１のカム従動子の固定構造。
【請求項６】
上記第一直径部から第二直径部の距離は第二直径部から第三直径部の距離の三分の一であることを特徴とする請求項１のカム従動子の固定構造。
【考案の詳細な説明】
【技術分野】
【０００１】
本考案はカム従動子の固定構造に関し、特に速やかに調整又は固定できる従動子構造の改良に関する。
【背景技術】
【０００２】
まず図７と８を参照されたい。従来のローラギヤカムなどのカム機構は回転部があり、該回転部は外縁に複数の従動子がボルトによって締め付けられる。従動子は放射状に等間隔に配列され、ボルトは直接に従動子の中心に貫通された後、再び突き出して回転部へと締め付けられる。また該回転部はカムと合わせて使用され、回転部とカムは共にハウジングに設置される。カムが回転する際、従動子はカムによる制限と推動が受けられることで、回転部はカムに伴って回転される。これによって、該構造における従動子とカムの噛み合いの精密度が非常に重視される。もし放射線状に配列する複数の従動子の間隔が異なったり、または部分的な従動子が傾斜状になったりする場合、カムが回転部を帯動する際にスムーズではないか、または騒音を生じる問題が起きる。さらに摩損しやすく、回転抵抗力が過大になる欠点がある。これによって、従来のようにボルトを利用して締め付けられる従動子はただボルトの締め付け度によって従動子の位置を調整するしかなく、該ボルトの締め付け度は全てのボルトにおいて同じになるようにコントロールしにくく、また従動子を異なる方向へ傾かせることで、継続的にテストと調整を行わないといけないため、組み立てる際に時間と手間がかかる欠点がある。
【０００３】
従って、本考案者は長年にわたって関係商品の製造開発と設計に携わった経験により、上述の目標について緻密に設計した上で慎重に検討した後、実用性を満ちた本考案を得た。
【考案の概要】
【考案が解決しようとする課題】
【０００４】
本考案が解決しようとする課題は現在技術における上述の欠点を解決し、カム従動子の固定構造を提供する。
【課題を解決するための手段】
【０００５】
本考案のカム従動子の固定構造は、駆動軸と回転部を含む。該駆動軸は外表面に螺旋部が形成され、また該回転部は外周縁に放射線状に複数の従動子が固定される。さらに駆動軸の螺旋部によって従動子と噛み合わせることで回転部を帯動する。該回転部には従動子を組み立てるための複数のネジ穴が開けられる。該従動子は一端に円錐体部が形成され、そして従動子のもう一端に軸受けが組み立てられる。また該従動子には円錐体部と軸受けの間に阻止リングが突設され、該阻止リングには円錐体部端に押さえ面が形成される。阻止リングによって円錐体部がネジ穴に差し込む深さを制限し、また該円錐体部には隣接する軸受け端に順番に異なるテーパーの第一直径部、第二直径部及び第三直径部が形成される。該第一直径部はネジ穴の内径より大きく、該第二直径部はネジ穴の内径と等しく、該第三直径部はネジ穴の内径より小さい。従動子の円錐体部によって中心を調整してネジ穴に差し込み、さらに迫って第二直径部と第一直径部がネジ穴に押し込まれて設置されることで緊迫な固定と軸方向の定位という組立効果が得られる。または該ネジ穴の開口の周縁には平面部が形成され、それにくわえて該従動子には押さえ面と円錐体部の間にリング溝が凹設され、該従動子の押さえ面が該回転部の平面部とぴったり合わせられる。
【０００６】
ここで、該ネジ穴の穴底は延伸されてねじ山穴が設けられ、また該従動子の軸方向に貫通孔が貫通され、該従動子はボルトによって貫通孔に貫通され、そしてボルトによってねじ山穴に締め付けることで従動子とネジ穴の緊迫効果が形成される。
【０００７】
該回転部はネジ穴と従動子の円錐体部の間に接着剤が塗布されるため、固定強度が高められる。また該接着剤は化学分解の特性がある。
【０００８】
該従動子の円錐体部の材料硬度は回転部のネジ穴の材料硬度より大きい。
【０００９】
該従動子はプレス式でネジ穴に差し込まれることで中心調整の固定効果が得られる。
【００１０】
該第一直径部から第二直径部の距離は第二直径部から第三直径部の距離の三分の一である。
【００１１】
本考案における主要目的は、該第三直径部はネジ穴の内径より小さいため、従動子が簡単に差し込まれる。該従動子は第二直径部がネジ穴と等しいことを利用し、従動子の軸心線がネジ穴の中心線に合わせて調整されることによって全ての従動子がネジ穴の真ん中に差し込まれる。第三直径部がネジ穴の内径より大きい設計により、円錐体部にはネジ穴と緊迫した押し合いが生じるため、緊迫な固定と軸方向の定位という組立効果が得られる。さらに従動子と回転部の高精度の剛性が得られ、従動子は速やかに固定と位置調整の効果が実際に得られ、組立の精密度が高められる。
【００１２】
本考案におけるもう一つの主要目的は、該従動子には円錐体部と軸受けの間に阻止リングが突設され、該阻止リングには円錐体部端に押さえ面が形成される。阻止リングによって円錐体部がネジ穴に差し込む深さを制限し、また該ネジ穴の開口の周縁には平面部が形成され、それにくわえて該従動子には押さえ面と円錐体部の間にリング溝が凹設され、さらに該リング溝によって該ネジ穴との間の干渉を解消させ、該従動子の押さえ面が該回転部の平面部とぴったり合わせられることによって円錐体部と合わせて両面を拘束する効果が得られ、従動子とネジ穴の結合は揺れにくくなるため、緊迫な固定と軸方向の定位という組立効果が得られる。
【図面の簡単な説明】
【００１３】
【図１】図１は、本考案に係るカム従動子の固定構造の立体図である。
【図２】図２は、本考案に係るカム従動子の固定構造の立体分解図である。
【図３】図３は、本考案に係るカム従動子の固定構造の断面図である。
【図４】図４は、本考案の従動子の断面図である。
【図５】図５は、本考案の従動子の組立順序図である。
【図６】図６は、本考案のもう一つの実施例の従動子の組立順序図である。
【図７】図７は、従来の立体分解図である。
【図８】図８は、従来の従動子の組立を示す図である。
【考案を実施するための形態】
【００１４】
まず、図１から図４を参照されたい。カム従動子の固定構造は駆動軸１０と回転部２０を含む。該駆動軸１０には外表面に螺旋部１１が形成され、また該回転部２０には外周縁に放射線状に複数の従動子３０が固定される。さらに駆動軸１０の螺旋部１１によって従動子３０と噛み合わせることで回転部２０に対して帯動する。回転部２０には従動子３０を組み立てるための複数のネジ穴２１が開けられる。従動子３０には一端に円錐体部３１が形成され、そして従動子３０のもう一端には軸受け３２が組み立てられる。また該従動子３０には円錐体部３１と軸受け３２の間に阻止リング３６が突設され、該阻止リング３６には円錐体部３１端に押さえ面３６１が形成される。阻止リング３６によって円錐体部３１がネジ穴２１に差し込む深さを制限する。また該回転部２０にはネジ穴２１と従動子３０の円錐体部３１の間に接着剤３５が塗布されるため、固定強度が高められる。また該接着剤３５は化学分解の特性がある。該円錐体部３１には隣接する軸受け３２端に順番に異なるテーパーの第一直径部３１１、第二直径部３１２及び第三直径部３１３が形成される。第一直径部３１１はネジ穴２１の内径より大きく、第二直径部３１２はネジ穴２１の内径と等しく、第三直径部３１３はネジ穴２１の内径より小さい。また該第一直径部３１１から第二直径部３１２の距離は第二直径部３１２から第三直径部３１３の距離の三分の一である。従動子３０の円錐体部３１によって中心を調整してネジ穴２１に差し込み、さらに押し迫って第二直径部３１２と第一直径部３１１がネジ穴２１に押し込まれて設置される。ここで、該従動子３０はプレス式でネジ穴２１に差し込まれることで中心調整の固定効果が得られる。さらに該従動子３０の円錐体部３１の材料硬度は回転部２０のネジ穴２１の材料硬度より大きい。または該ネジ穴２１の開口の周縁には平面部２１１が形成され、それに該従動子３０には押さえ面３６１と円錐体部３１の間にリング溝３７が凹設され、さらに該リング溝３７によって該ネジ穴２１との間の干渉を解消させ、該従動子３０の押さえ面３６１が該回転部２０の平面部２１１とぴったり合わせられることによって円錐体部３１と合わせて両面を拘束する効果が得られ、従動子３０とネジ穴２１の結合は揺れにくくなるため、緊迫な固定と軸方向の定位という組立効果が得られ、組立の精密度が高められる。
【００１５】
実際の使用効果は引き続き図１から図５を参照されたい。本考案の主な特徴は従動子３０に対する改良であって、該従動子３０は回転部２０のネジ穴２１に固定され、また複数の従動子３０が放射線状に環状配列し、従動子３０が駆動軸１０の螺旋部１１と噛み合わせて連動されることによって、駆動軸１０が回転部２０を帯動して回転するという目的が実現される。ここで、該従動子３０の一端には円錐体部３１が設けられ、該円錐体部３１には軸受け３２端に順番に異なるテーパーの第一直径部３１１、第二直径部３１２及び第三直径部３１３が形成される。また該円錐体部３１は以下の条件制限を満たさなければならない：一、第一直径部３１１はネジ穴２１の内径より大きい。二、第二直径部３１２はネジ穴２１の内径と等しい。三、第三直径部３１３はネジ穴２１の内径より小さい。また最も良い実施方式では、第一直径部３１１から第二直径部３１２の距離は第二直径部３１２から第三直径部３１３の距離の三分の一である。上述の条件によって円錐体部３１とネジ穴２１の組み合わせ効果が最良になる。さらに説明すると、まず従動子３０が円錐体部３１の第三直径部３１３より回転部２０のネジ穴２１に差し込まれ、第三直径部３１３がネジ穴２１の内径より小さいという特徴を利用することで、従動子３０が簡単に差し込まれる。第二直径部３１２がネジ穴２１と接触する時、該従動子３０は第二直径部３１２がネジ穴２１の内径と等しいという条件を利用することで、従動子３０の軸心線がネジ穴２１の中心線に合わせて調整され、しかも隙間が大きすぎて調整しにくいという問題を考慮しなくても良い。これによって全ての従動子３０がネジ穴２１の真ん中に差し込まれる。さらに従動子３０と回転部２０の高精度な剛性が得られることによって、速やかな調整と安定した結合という効果が得られる。上述の具体的な実施例の構造により、組立の精密度が高められるからである。さらに説明すると、該ネジ穴２１の開口の周縁には平面部２１１が形成され、また該従動子３０には押さえ面３６１と円錐体部３１の間にリング溝３７が凹設され、さらに該リング溝３７によって該ネジ穴２１との間の干渉が解消され、その結果該リング溝３７が該ネジ穴２１を回避する効果が得られ、該従動子３０の押さえ面３６１が該回転部２０の平面部２１１とぴったり合わせられることによって円錐体部３１と合わせて両面を拘束する効果が得られる。
【００１６】
本考案のもう一つの実施例については図６を参照されたい。該ネジ穴２１の穴底は延伸されてねじ山穴２２が設けられ、また該従動子３０の軸方向に貫通孔３３が貫通され、該従動子３０はボルト３４によって貫通孔３３に貫通され、そしてボルト３４がねじ山穴２２に締め付けられることによって従動子３０とネジ穴２１の緊迫効果が得られる。組立順序は、ボルト３４を従動子３０の貫通孔３３に貫通させ、そして直接にネジ穴２１のねじ山穴２２に締め付けさせるという順番である。ボルト３４の締め付け圧迫によって従動子３０がネジ穴２１方向に差し込まれる。第三直径部３１３がネジ穴２１の内径より大きいという設計によって円錐体部３１にはネジ穴２１との間で緊迫した押し合いが生じるため、緊迫な固定と軸方向の定位という組立効果が得られる。さらにボルト３４を反対方向より取り出すことで、従動子３０が速やかな固定と位置の調整という効果が実際に得られ、最も理想的な調整効果と固定効果が得られる。
【００１７】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１８】
１０        駆動軸
１１        螺旋部
２０        回転部
２１        ネジ穴
２１１      平面部
２２        ねじ山穴
３０        従動子
３１        円錐体部
３１１      第一直径部
３１２      第二直径部
３１３      第三直径部
３２        軸受け
３３        貫通孔
３４        ボルト
３５        接着剤
３６        阻止リング
３６１      押さえ面
３７        リング溝
４０        回転部
４１        ボルト
４２        従動子
５０        カム
６０        ハウジング
【図１】
0003212925.tif 000003
【図２】
0003212925.tif 000004
【図３】
0003212925.tif 000005
【図４】
0003212925.tif 000006
【図５】
0003212925.tif 000007
【図６】
0003212925.tif 000008
【図７】
0003212925.tif 000009
【図８】
0003212925.tif 000010
【手続補正書】
【提出日】平成29年8月1日(2017.8.1)
【手続補正１】
【補正対象書類名】実用新案登録請求の範囲
【補正対象項目名】全文
【補正方法】変更
【補正の内容】
【実用新案登録請求の範囲】
【請求項１】
駆動軸と回転部とを含むカム従動子の固定構造であって、
上記駆動軸には外表面に螺旋部が形成され、また上記回転部には外周縁に放射線状に複数の従動子が固定され、さらに駆動軸の螺旋部によって従動子と噛み合わせることで回転部を帯動し、
上記回転部には従動子を組み立てるための複数のネジ穴が開けられ、上記従動子には一端に円錐体部が形成され、そして従動子のもう一端には軸受けが組み立てられ、また上記従動子には円錐体部と軸受けの間に阻止リングが突設され、上記阻止リングには円錐体部端に押さえ面が形成され、阻止リングによって円錐体部がネジ穴に差し込む深さを制限し、また上記円錐体部には隣接する軸受け端に順番に異なるテーパーの第一直径部、第二直径部及び第三直径部が形成され、上記第一直径部はネジ穴の内径より大きく、上記第二直径部はネジ穴の内径と等しく、上記第三直径部はネジ穴の内径より小さく、従動子の円錐体部によって中心を調整してネジ穴に差し込み、さらに押し迫って第二直径部と第一直径部がネジ穴に押し込まれて設置されることで緊迫な固定と軸方向の定位という組立効果が得られ、または上記ネジ穴の開口の周縁には平面部が形成され、それにくわえて上記従動子には押さえ面と円錐体部の間にリング溝が凹設され、さらに該リング溝によって該ネジ穴との間の干渉が解消され、上記従動子の押さえ面が上記回転部の平面部とぴったり合わせられることによって円錐体部と合わせて両面を拘束する効果が得られ、従動子とネジ穴の結合は揺れにくくなることを特徴とするカム従動子の固定構造。
【請求項２】
上記ネジ穴の穴底は延伸されてねじ山穴が設けられ、また上記従動子の軸方向に貫通孔が貫通され、そして上記従動子はボルトによって貫通孔に貫通され、さらにボルトによってねじ山穴に締め付けることで従動子とネジ穴の緊迫効果が得られることを特徴とする請求項１のカム従動子の固定構造。
【請求項３】
上記回転部にはネジ穴と従動子の円錐体部の間に接着剤が塗布されるため、固定強度が高められることを特徴とする請求項１のカム従動子の固定構造。
【請求項４】
上記従動子の円錐体部の材料硬度は回転部のネジ穴の材料硬度より大きいことを特徴とする請求項１のカム従動子の固定構造。
【請求項５】
上記従動子はプレス式でネジ穴に差し込まれることで中心調整の固定効果が得られることを特徴とする請求項１のカム従動子の固定構造。
【請求項６】
上記第一直径部から第二直径部の距離は第二直径部から第三直径部の距離の三分の一であることを特徴とする請求項１のカム従動子の固定構造。